(57)【要約】      （修正有）【課題】側壁を有する調理容器と協働するようにされた脱着可能なハンドルを提供する。【解決手段】脱着可能なハンドル１は、長手方向３に沿って延び、側壁に突き当たるようにされた少なくとも１つの固定支持具１２、１４と、脱着可能なハンドルが側壁から脱離する開位置と脱着可能なハンドルが側壁に固定される閉位置の間で可動な錠止具とを具備し、脱着可能なハンドルは、安定した閉鎖位置から安定した開放位置へ、またその逆へと、途中、不安定なバランスの中間位置を経由して移行できるように構成された錠止具の移動手段３０と、当初はその安定した閉鎖位置にある移動手段をその不安定なバランスの中間位置の先まで誘導するようにされた開放手段とを備え、開放手段は長手方向に対して横断方向で水平面内に含まれる軸に従って回転可能な開放ボタン５０ａを備える。【選択図】図４
2018134391.tif 000002
【特許請求の範囲】
【請求項１】
側壁（６１）を有する調理容器（６０）と協働するようにされた脱着可能なハンドル（１）であって、前記脱着可能なハンドル（１）は、長手方向（３）に沿って延び、前記側壁（６１）に突き当たるようにされた少なくとも１つの固定支持具（１２、１４）と、前記脱着可能なハンドル（１）が前記側壁（６１）から脱離する開位置と脱着可能なハンドル（１）が前記側壁（６１）に固定される閉位置の間で可動な錠止具（２０）とを具備し、前記脱着可能なハンドル（１）は、安定した閉鎖位置から安定した開放位置へ、またその逆へと、途中、不安定なバランスの中間位置を経由して移行できるように構成された前記錠止具（２０）の移動手段（３０）と、当初はその安定した閉鎖位置にある前記移動手段（３０）をその不安定なバランスの中間位置の先まで誘導するようにされた前記錠止具（２０）開放手段（５０）とを備え、前記開放手段（５０）は長手方向に対して横断方向で水平面内に含まれる軸（５１）に従って回転可能な開放ボタン（５０ａ）を備える脱着可能なハンドル（１）において、前記開放ボタン（５０ａ）は、前記移動手段（３０）が前記安定した閉鎖位置にある休止引込み位置と、前記移動手段（３０）が前記安定した開放位置にある引起し位置の間で可動であることを特徴とする脱着可能なハンドル（１）。
【請求項２】
前記開放ボタン（５０ａ）は前記休止引込み位置と前記引起し位置の間で途中に中間引起し位置を挟んで可動であること、および前記開放手段（５０）は少なくとも１つの第１の押動具（５０ｂ）と少なくとも１つの第２の押動具（５０ｃ）とを備え、前記第１の押動具（５０ｂ）は、前記開放ボタン（５０ａ）が前記休止引込み位置から前記中間引起し位置に操作されると、前記移動手段（３０）に対してその安定した閉鎖位置とその不安定なバランスの中間位置の間で作用し、前記第２の押動具（５０ｃ）は、前記開放ボタン（５０ａ）が前記中間引起し位置から前記引起し位置に操作されると、前記移動手段（３０）に対してその不安定なバランスの中間位置とその安定した開放位置の間で作用することを特徴とする請求項１に記載の脱着可能なハンドル（１）。
【請求項３】
前記第１の押動具（５０ｂ）は、前記開放ボタン（５０）がユーザによって与えられるトルクの作用を受けたときに前記移動手段（３０）に第１の力を加えて前記移動手段（３０）を前記安定した閉鎖位置から前記不安定なバランスの中間位置に移行させるように適合されること、および前記第２の押動具（５０ｃ）は、前記ボタンがユーザによって与えられるトルクの作用を受けたときに前記移動手段（３０）に第２の力を加えて前記移動手段（３０）を前記不安定なバランスの中間位置から前記安定した開放位置に移行させるように適合されることを特徴とする請求項２に記載の脱着可能なハンドル（１）。
【請求項４】
ユーザによって前記開放ボタン（５０ａ）に与えられる同じトルクの作用を受けたとき、前記移動手段（３０）に加えられる前記第１の力の値は前記移動手段（３０）に対する前記第２の力の値よりも大きいことを特徴とする請求項３に記載の脱着可能なハンドル（１）。
【請求項５】
前記第１の押動具（５０ｂ）および前記第２の押動具（５０ｃ）は、前記開放ボタン（５０ａ）によるユーザの操作を受けて移動するとき、前記移動手段（３０）に設けられた第１の受け面（３３ａ）および第２の受け面（３３ｂ）にそれぞれが当接するように、さらに前記第１の受け面（３３ａ）および前記第２の受け面（３３ｂ）をそれぞれ移動させて前記移動手段（３０）をそれぞれの安定した開放位置の方へ誘導するように適合されることを特徴とする請求項２乃至４のいずれか一項に記載の脱着可能なハンドル（１）。
【請求項６】
前記第１の押動具（５０ｂ）および前記第２の押動具（５０ｃ）は、横断方向軸（５１）に沿って前記開放ボタン（５０ａ）の両側に配置されることを特徴とする請求項２乃至５のいずれか一項に記載の脱着可能なハンドル（１）。
【請求項７】
前記第１の押動具（５０ｂ）および前記第２の押動具（５０ｃ）はそれぞれ短尺レバーアーム（５２ｂ）および長尺レバーアーム（５２ｃ）を備えること、ならびに前記短尺レバーアーム（５２ｂ）は前記移動手段（３０）に対して前記第１の力を加えるように適合され、前記長尺レバーアーム（５２ｂ）は前記移動手段（３０）に対して前記第２の力を加えるように適合されることを特徴とする請求項２乃至６のいずれか一項に記載の脱着可能なハンドル（１）。
【請求項８】
前記短尺レバーアーム（５２ｂ）は、前記第１の受け面（３３ａ）との接触を果たすように適合された第１の誘導用輪郭端（５４ｂ）を有し、前記長尺レバーアーム（５２ｃ）は、前記第２の受け面（３３ｂ）との接触を果たすように適合された第２の誘導用輪郭端（５４ｃ）を有することを特徴とする請求項７に記載の脱着可能なハンドル（１）。
【請求項９】
前記第１の押動具（５０ｂ）および前記第２の押動具（５０ｃ）はそれぞれ短いカムおよび長いカムを備え、前記短いカムは前記移動手段（３０）に対して前記第１の力を加えるように適合され、前記長いカムは前記移動手段（３０）に対して前記第２の力を加えるように適合されることを特徴とする請求項２乃至６のいずれか一項に記載の脱着可能なハンドル（１）。
【請求項１０】
前記移動手段（３０）は、長手方向（３）に対して横断方向（４）に延びる枢動軸（３４）に従って閉鎖位置と開放位置の間で途中に不安定なバランスの中間位置を挟んで可動なレバー（３５）を備えることを特徴とする請求項１乃至９のいずれか一項に記載の脱着可能なハンドル（１）。
【請求項１１】
前記第１の受け面（３３ａ）および前記第２の受け面（３３ｂ）は前記レバー（３５）に設けられることを特徴とする請求項５に従属する請求項１０に記載の脱着可能なハンドル（１）。
【請求項１２】
前記開放ボタン（５０ａ）は前記休止引込み位置と前記引起し位置の間で長手方向（３）に対して４０°から７０°の間、好ましくは６０°の角度ストロークにわたって枢動することを特徴とする請求項１乃至１１のいずれか一項に記載の脱着可能なハンドル（１）。
【請求項１３】
前記移動手段（３０）は前記錠止具（２０）に連結されたリンク（４０）と前記リンク（４０）に連結されたばね（４７）とを備え、前記ばね（４７）は前記錠止具（２０）の位置を前記側壁（６１）の厚さに適合させるようになされることを特徴とする請求項１乃至１２のいずれか一項に記載の脱着可能なハンドル（１）。
【請求項１４】
前記側壁（６１）に突き当たるようにされた少なくとも２つの固定支持具（１２、１４）と、前記側壁（６１）が前記少なくとも２つの支持具（１２、１４）の間に係合し得る開位置と、前記側壁（６１）が前記少なくとも２つの支持具（１２、１４）の間で締め付けられて前記脱着可能なハンドル（１）が前記側壁（６１）に固定される閉位置の間で可動な錠止具（２０）とを備えることを特徴とする請求項１乃至１３のいずれか一項に記載の脱着可能なハンドル（１）。
【発明の詳細な説明】
【技術分野】
【０００１】
本発明は、外側に湾曲した部位によって上方に延びる側壁を有する鍋または深鍋のような調理容器と協働するための脱着可能なハンドルに関する。
【０００２】
本明細書では、脱着可能なハンドルについて説明する際に用いる「長手方向」、「横断方向」、「水平方向」、「垂直方向」、「下（部）」、「上（部）」、「上方」、「下方」のそれぞれの用語は、水平面上に置かれた調理容器の側壁に取り付けられて使用状態にあるときのそのハンドルを基準にしている。
【背景技術】
【０００３】
特許文献１により、側壁を有する調理容器と協働するようにされた脱着可能なハンドルが知られている。この脱着可能なハンドルは、長手方向に沿って延び、側壁に突き当たるようにされた少なくとも１つの固定支持具と、脱着可能なハンドルが側壁から脱離する開位置と脱着可能なハンドルが側壁に固定される閉位置の間で可動な錠止具とを具備し、脱着可能なハンドルは、安定した閉鎖位置から安定した開放位置へ、またその逆へと、途中、不安定なバランスの中間位置を経由して移行できるように構成された錠止具の移動手段と、当初はその安定した閉鎖位置にある移動手段をその不安定なバランスの中間位置の先まで誘導するようにされた錠止具開放手段とを備え、開放手段は長手方向に対して横断方向で水平面内に含まれる軸に従って回転可能な開放ボタンを備える。開放ボタンは、移動手段が安定した閉鎖位置にある休止引起し位置と、移動手段が安定した開放位置にある引込み位置の間で可動である。これにより、ユーザは、ハンドルを調理容器から取り外したいときは、開放ボタンを押して錠止具を閉鎖位置から開放位置に移す。
【０００４】
しかし、このようなハンドルは比較的コンパクトなアセンブリを形成するため、開放ボタンのストロークは短い。そのため、移動手段を安定した閉鎖位置から不安定なバランスの中間位置を越えて移行させるために必要な開放ボタンの押力は大きい。
【０００５】
このようなハンドルは、錠止具の閉鎖位置を幾通りもの厚さの側壁に適合させるためにレバーとばねを含むナックル継手型の錠止具移動手段を備える。レバーは、途中で不安定な中間位置を経由しつつ、閉鎖位置と開放位置の間で可動である。側壁の厚さが許容最大限度に近いときは、レバーを閉鎖位置から不安定なバランスの中間位置の先まで移行させるために必要な開放ボタンの押力は一段と大きなものとなる。
【０００６】
また、ユーザは、脱着可能なハンドルが固定された調理容器を扱う際、脱着可能なハンドルを握ったときに意に反して開放ボタンを押してしまう可能性がある。それによって錠止具は閉鎖位置から開放位置に移行し、ハンドルは調理容器から外れる。そのため、このような構造は調理容器の脱着可能なハンドルが脱離するリスクを有しており、ユーザまたはその環境に危険な状況をもたらす可能性がある。
【先行技術文献】
【特許文献】
【０００７】
【特許文献１】韓国特許第１０１１４７１１３号明細書
【発明の概要】
【発明が解決しようとする課題】
【０００８】
本発明の目的は、上述の不都合を改善して、調理容器と協働するようにされた脱着可能なハンドルであって、ユーザが調理容器に対して容易に取り付け、取り外すことができるように、さらに調理容器をきわめて安全に取り扱うことができるように人間工学的に改善された脱着可能なハンドルを提案することにある。
【０００９】
本発明のもう１つの目的は、実現する上で単純にして経済的な設計の脱着可能なハンドルを提案することにある。
【課題を解決するための手段】
【００１０】
それらの目的は、側壁を有する調理容器と協働するようにされた脱着可能なハンドルであって、前記脱着可能なハンドルは、長手方向に沿って延び、側壁に突き当たるようにされた少なくとも１つの固定支持具と、脱着可能なハンドルが側壁から脱離する開位置と脱着可能なハンドルが側壁に固定される閉位置の間で可動な錠止具とを具備し、前記脱着可能なハンドルは、安定した閉鎖位置から安定した開放位置へ、またその逆へと、途中、不安定なバランスの中間位置を経由して移行できるように構成された錠止具の移動手段と、当初はその安定した閉鎖位置にある移動手段をその不安定なバランスの中間位置の先まで誘導するようにされた錠止具開放手段とを備え、開放手段は長手方向に対して横断方向で水平面内に含まれる軸に従って回転可能な開放ボタンを備える脱着可能なハンドルにおいて、前記開放ボタンは、移動手段が安定した閉鎖位置にある休止引込み位置と、移動手段が安定した開放位置にある引起し位置の間で可動であることを特徴とする脱着可能なハンドルによって達成される。
【００１１】
このような構造では、ユーザは、脱着可能なハンドルを調理容器から外そうとするときは、開放ボタンを上方に引き起こして、錠止具が閉位置にある休止引込み位置から、錠止具が開位置になる引起し位置まで開放ボタンを移行させなければならない。そのため、ユーザが過って開放ボタンを押したとしても、脱着可能なハンドルの錠止具を偶発的に錠止解除してしまうおそれはない。
【００１２】
好ましくは、開放ボタンは休止引込み位置と引起し位置の間で途中に中間引起し位置を挟んで可動であり、開放手段は少なくとも１つの第１の押動具と少なくとも１つの第２の押動具とを備える。第１の押動具は、開放ボタンが休止引込み位置から中間引起し位置に操作されると、移動手段に対してその安定した閉鎖位置とその不安定なバランスの中間位置の間で作用し、第２の押動具は、ボタンが中間引起し位置から引起し位置に操作されると、移動手段に対してその不安定なバランスの中間位置とその安定した開放位置の間で作用する。
【００１３】
開放ボタンの横断方向軸に従って枢動する２つの押動具は、開放ボタンが休止引込み位置から中間引起し位置の先まで操作されると、移動手段が２つのストロークで大きく移動することを可能にする。短い第１のストロークは第１の押動具の回転によってもたらされ、長い第２のストロークは第２の押動具の回転によってもたらされる。
【００１４】
有利には、第１の押動具は、開放ボタンがユーザによって与えられるトルクの作用を受けたときに移動手段に第１の力を加えて移動手段を安定した閉鎖位置から不安定なバランスの中間位置に移行させるように適合され、第２の押動具は、開放ボタンがユーザによって与えられるトルクの作用を受けたときに移動手段に第２の力を加えて移動手段を不安定なバランスの中間位置から安定した開放位置に移行させるように適合される。
【００１５】
それにより、第１の押動具によって発生する第１の力は短い第１のストロークをもたらし、そのストロークの中で開放ボタンはその休止引込み位置から中間引起し位置に移行する。第２の押動具によって発生する第２の力は長い第２のストロークをもたらし、そのストロークの中で開放ボタンはその中間引起し位置から引起し位置に移行する。
【００１６】
有利には、ユーザによって開放ボタンに与えられる同じトルクの作用を受けたとき、移動手段に加えられる第１の力の値は移動手段に加えられる第２の力の値よりも大きい。
【００１７】
移動手段を安定閉鎖位置から不安定なバランスの中間位置へ移行させるために必要な第１の力は大きく、移動手段の短い第１のストロークに対して加えられる。移動手段を不安定なバランスの中間位置から安定開放位置へ移すために必要な第２の力は第１の力よりも小さく、移動手段の長い第２のストロークに対して加えられる。
【００１８】
好ましくは、第１の押動具および第２の押動具は、開放ボタンによるユーザの操作を受けて移動するとき、移動手段に設けられた第１の受け面および第２の受け面にそれぞれが当接するように、さらに前記第１の受け面および第２の受け面をそれぞれ移動させて移動手段を安定した開放位置の方へ誘導するように適合される。
【００１９】
それにより、第１の押動具は第１の受け面に作用し、移動手段をその安定した閉鎖位置から不安定なバランスの中間位置へと誘導することができる。第２の押動具は第２の受け面に作用し、移動手段をその不安定なバランスの中間位置から安定した開放位置へと誘導することができる。
【００２０】
有利には、第１の押動具および第２の押動具は、横断方向軸に沿って開放ボタンの両側に配置される。
【００２１】
第１の押動具および第２の押動具は、開放ボタンによってユーザから与えられるトルクの作用を受けて横断方向軸に従って回転駆動される。
【００２２】
好ましい実施形態では、第１の押動具および第２の押動具はそれぞれ短尺レバーアームおよび長尺レバーアームを備え、短尺レバーアームは移動手段に対して第１の力を加えるように適合され、長尺レバーアームは移動手段に対して第２の力を加えるように適合される。
【００２３】
開放ボタンがその休止引込み位置からその中間引起し位置に移動させられるときにユーザによって開放ボタンに与えられるトルクは、短尺レバーアームによって伝達されて、短い第１のストロークで第１の大きな力が移動手段に対して加えられ、それによって移動手段を安定した閉鎖位置から不安定なバランスの中間位置に移行させる。開放ボタンがその中間引起し位置からその引起し位置に移動させられるときにユーザによって開放ボタンに与えられる同じだけのトルクは、長尺レバーアームによって伝達されて、長い第２のストロークで、より小さな力でありながら十分な第２の力が移動手段に対して加えられ、それによって移動手段を不安定なバランスの中間位置から安定した開放位置に移行させる。
【００２４】
有利には、短尺レバーアームは、第１の受け面との接触を果たすように適合された第１の誘導用輪郭端を有し、長尺レバーアームは、第２の受け面との接触を果たすように適合された第２の誘導用輪郭端を有する。
【００２５】
短尺レバーアームの第１の誘導用輪郭端は、移動手段に設けられた第１の受け面に当接し、その第１の受け面を移動させて移動手段をその不安定なバランスの中間位置に誘導するように適合される。長尺レバーアームの第２の誘導用輪郭端は、移動手段に設けられた第２の受け面に当接し、その第２の受け面を移動させて移動手段をその安定した開放位置に誘導するように適合される。
【００２６】
好ましい実施形態では、第１の押動具および第２の押動具はそれぞれ短いカムおよび長いカムを有し、短いカムは移動手段に対して第１の力を加えるように適合され、長いカムは移動手段に対して第２の力を加えるように適合される。
【００２７】
カムとは、開放ボタンによって回転駆動される半径が一定でない円筒形をいう。短いカムは最大半径Ｒ１を有し、長いカムは最大半径Ｒ２を有しており、Ｒ２はＲ１よりも大きい。
【００２８】
そのため、開放ボタンを休止引込み位置から中間引起し位置まで移動させるときにユーザによって開放ボタンに与えられるトルクは、短いカムによって伝達されて短い第１のストロークで移動手段に大きな第１の力を加え、それによって移動手段を安定した閉鎖位置から不安定なバランスの中間位置に移行させる。開放ボタンをその中間引起し位置からその引起し位置まで移動させるときにユーザによって開放ボタンに与えられる同じだけのトルクは、長いカムによって伝達されて長い第２のストロークで移動手段により小さな力でありながらも十分な第２の力を加え、それによって移動手段を不安定なバランスの中間位置から安定した開放位置に移行させる。
【００２９】
有利には、移動手段は、長手方向に対して横断方向に延びる枢動軸に従って閉鎖位置と開放位置の間で途中に不安定なバランスの中間位置を挟んで可動なレバーを備える。
【００３０】
レバーの閉鎖位置、開放位置および不安定なバランスの中間位置はそれぞれ移動手段の安定した閉鎖位置、開放位置および不安定なバランスの中間位置に対応する。このような可動レバーは、単純で操作の容易な錠止具の移動手段を得ることを可能にする。
【００３１】
有利には、第１の受け面および第２の受け面はレバーに設けられる。
【００３２】
これにより、第１の押動具および第２の押動具はレバーに直接作用する。
【００３３】
好ましくは、開放ボタンは休止引込み位置と引起し位置の間で長手方向に対して４０°から７０°の間、好ましくは６０°の角度ストロークにわたって枢動する。
【００３４】
そのため、開放ボタンはその引起し位置でほぼ垂直であり、開放ボタンの配置は、開放ボタンが休止引込み位置にあるときにユーザが開放ボタンに自分の親指を置くことができるような人間工学的位置をなす。
【００３５】
有利には、移動手段は錠止具に連結されたリンクとリンクに連結されたばねとを備え、ばねは錠止具の位置を側壁の厚さに適合させるようになされる。
【００３６】
リンクは、レバーが枢動するときに錠止具の並進移動を可能にする。この配置は、非常に人間工学的な錠止具の移動手段を得ることを可能にする。さらに、このような手段は錠止具の位置を側壁の厚さに適合させることを可能にする。
【００３７】
好ましくは、脱着可能なハンドルは、側壁に突き当たるようにされた少なくとも２つの固定支持具と、側壁がその少なくとも２つの支持具の間に係合し得る開位置と、側壁がその少なくとも２つの支持具の間で締め付けられて脱着可能なハンドルが側壁に固定される閉位置の間で可動な錠止具とを備える。
【００３８】
錠止具は長手方向に並進可能である。錠止具はその開位置で少なくとも２つの支持具から離隔するように適合されて、少なくとも２つの支持具の間への側壁の挿入が可能となるようにするとともに、その閉位置では側壁に当接するように適合されて、少なくとも２つの支持具への固定が可能となるようにする。
【００３９】
錠止具の開位置では、少なくとも２つの支持具は少なくとも２つの具の間への側壁の挿入を可能にする。
【００４０】
把持部はユーザがその手のひらで持つことができ、ユーザは休止引込み位置にある開放ボタンに親指を置き、それを親指で引き起こすことによって脱着可能なハンドルの錠止を解除することができる。
【００４１】
本発明は、外側に湾曲した縁部によって上方に延びる側壁を備える調理容器と上述したような脱着可能なハンドルとを少なくとも構成要素とする組立体にも関する。変形実施形態では、湾曲した縁部は垂直な中間部位と縁端部とを備える。
【００４２】
本発明の目的、態様および利点については、添付の図面を参照しながら、非限定的な例として示す本発明の具体的実施形態に関する以下の説明によってよりよく理解されよう。
【図面の簡単な説明】
【００４３】
【図１】本発明の１つの具体的実施形態による調理容器と協働する脱着可能なハンドルの斜視図である。
【図２】図１の別の斜視図である。
【図３】図１のＩＩＩ−ＩＩＩ断面による脱着可能なハンドルの断面図である。
【図４】開放ボタンが引起し位置にあるときの図１の脱着可能なハンドルの斜視図である。
【図５】図４の脱着可能なハンドルの上面図である。
【図６】図１の脱着可能なハンドルの分解図である。
【図７】図１の脱着可能なハンドルの開放ボタンと移動手段を示した正面図であって、開放ボタンは休止引込み位置にあり、移動手段は安定した閉鎖位置にあるときの図である。
【図８】図１の脱着可能なハンドルの開放ボタンと移動手段を示した正面図であって、開放ボタンは中間引起し位置にあり、移動手段は不安定なバランスの中間位置にあるときの図である。
【図９】図１の脱着可能なハンドルの開放ボタンと移動手段を示した正面図であって、開放ボタンは引起し位置にあり、移動手段は安定した開放位置にあるときの図である。
【発明を実施するための形態】
【００４４】
図１および図２に示すように、脱着可能なハンドル１は、水平な底壁７０と、水平な底壁７０から立ち上がる側壁６１であって、外側に広がるように湾曲した縁部６４によって上方に延びる側壁とを備える調理容器６０と協働するようにされている。側壁６１は内側面６２と外側面６３とを有する。湾曲した縁部６４は側壁６１を延長するものであるとともに調理容器６０の上部開口を画定するものでもある。湾曲した縁部６４は、垂直な中間部６５と、垂下した自由端６７を有する端縁６６とを有する。
【００４５】
図１から図６までのとおり、脱着可能なハンドル１は、構造材１０が配設された把持部２を備える。脱着可能なハンドル１は長手方向３に延びる。構造材１０は一方の端部に２つの側方脚１１ａ、１１ｂを備える金属部材である。２つの側方脚１１ａ、１１ｂは構造材１０の端部に長手方向３に対して横断方向に配設される。２つの側方脚１１ａ、１１ｂは下方に延び、側壁６１の湾曲した縁部の垂直な中間部６５と協働するようにされた内部支持具１２を形成する第１の内部支持部位１２ａおよび第２の内部支持部位１２ｂをそれぞれの端部に備える。
【００４６】
図３から図５に示すように、脱着可能なハンドルは、側壁６１の外側面６３と協働するようにされた第１の外部支持部位１４ａおよび第２の外部支持部位１４ｂを有する外部支持具１４を備える。
【００４７】
内部支持具１２を形成する第１の内部支持部位１２ａおよび第２の内部支持部位１２ｂと、外部支持具１４を形成する第１の外部支持部位１４ａおよび第２の外部支持部位１４ｂとは、脱着可能なハンドル１を調理容器６０に組み立てる際に側壁６１および湾曲した縁部６４を挿入することができるように垂直軸に沿ってオフセットしている。
【００４８】
図３および図６のとおり、脱着可能なハンドル１は、開位置と閉位置の間で長手方向３に並進可能なラッチ２０からなる錠止具を備える。ラッチ２０は、長手方向３に対して横断方向４に第１の支持部２１ａと第２の支持部２１ｂを有する衝止壁２１（図６）を備える。
【００４９】
ラッチ２０の開位置では、衝止壁２１を形成する第１の支持部２１ａおよび第２の支持部２１ｂは、内部支持具１２から離隔することで、側壁６１が内部支持具１２と外部支持部１４の間に挿入され、内部支持部位１２ａおよび第２の内部支持部位１２ｂが湾曲した縁部６４の垂直な中間部位６５に突き当たることができるように、さらに外部支持部位１４ａ、１４ｂが側壁６１の外側面６３に突き当たることができるようにされる。
【００５０】
ラッチ２０の閉位置では、衝止壁２１を形成する第１の支持部２１ａおよび第２の支持部２１ｂが垂下する自由端６７に支えられるようにされて、垂下する自由端６７が衝止壁２１に対して衝止されるようにする。
【００５１】
図３から図６のとおり、脱着可能なハンドル１は、安定した閉鎖位置から不安定なバランスの中間位置を経由して安定した開放位置まで移行できるように構成されたラッチ２０によって形成される錠止具の移動手段３０を備える。移動手段３０は、長手方向３に対して横断方向４に延びる枢動軸３４に従って枢動可能に把持部２に取り付けられたレバー３５と、レバー３５が枢動したときにラッチ２０が移動できるようにするリンク４０とを備える。リンク４０は、第１の端部４１では軸４３に従って枢動可能にラッチ２０に取り付けられ、第２の端部４２では、レバー３５内に設けられた細長い開口部３１の中を摺動可能に取り付けられた軸４４に従ってレバー３５に取り付けられる。
【００５２】
レバー３５は、閉鎖位置から不安定なバランスの中間位置を経由して開放位置までの間で枢動軸３４に従って回転可能である。そのほか、移動手段は、摺動可能に取り付けられた軸４４とレバー３５の横断方向壁３２の間に配設された圧縮ばね４７をさらに備える。この圧縮ばね４７は、調理容器６０の湾曲した縁部６４の幾何学形状に応じて閉位置におけるラッチ２０の位置を調整することができる。
【００５３】
図３のとおり、レバー３５の閉鎖位置では、第２の端部４２がその周りを枢動する軸である軸４４は枢動軸３４および軸４３を通る直線６よりも上に位置する。第２の端部４２は、圧縮ばね４７の作用で把持部２の内壁に当接した状態で保持される。そのため、ユーザが脱着可能なハンドル１に対して何らかの力を維持する必要もなく、ラッチ２０は当然のこととしてその閉位置に保たれる。レバー３５は、第２の端部４２がその周りを枢動する軸である軸４４が枢動軸３４および軸４３を通る直線よりも下に移動すると、その不安定なバランスの中間位置の先へと導かれる。
【００５４】
図１から図６で見て取れるように、脱着可能なハンドル１は、最初は安定した閉鎖位置にある移動手段３０を不安定なバランスの中間位置の先へと移行させることができる開放手段５０を備えている。開放手段５０は、構造材１０の開口部８０内で把持部２の上面に設けられた開放ボタン５０ａを備える。開放ボタン５０ａは、脱着可能なハンドル１の長手方向３に対して水平な横断方向軸５１の周りに回転可能である。図７から図９までに示すように、開放ボタン５０ａはレバー３５がその閉鎖位置にある休止引込み位置（図７）と、レバー３５がその不安定なバランスの中間位置にある中間引起し位置（図８）と、レバー３５がその開放位置にある引起し位置（図９）の間で動作可能である。
【００５５】
図６から見て取れるように、脱着可能なハンドル１は、把持部２の内壁とラッチ２０に備えられたストッパ２２の間に配置されたラッチ２０の復帰手段５を備える。復帰手段５は、ラッチ２０が閉位置にあるときは圧縮状態で働き、レバー３５がその完全開位置に誘導されたときには、ストッパ２２に対して復帰力を与えてラッチ２０をその開位置に誘導するように適合される。
【００５６】
図６のとおり、開放手段５０は、開放ボタン５０ａによって横断方向軸５１に従って回転可能な第１の押動具５０ｂおよび第２の押動具５０ｃを備える。第１の押動具５０ｂおよび第２の押動具５０ｃは横断方向４に開放ボタン５０ａの両側に突出して配置される。第１の押動具５０ｂおよび第２の押動具５０ｃは、第１の誘導用輪郭端５４ｂおよび第２の誘導用輪郭端５４ｃをそれぞれ有する短尺レバーアーム５２ｂおよび長尺レバーアーム５２ｃをそれぞれ備える。レバー３５は、第１の誘導用輪郭端５４ｂおよび第２の誘導用輪郭端５４ｃと協働するようにされた第１の受け面３３ａおよび第２の受け面３３ｂを備える。
【００５７】
図７および図８から見て取れるように、短尺レバーアーム５２ｂの第１の誘導用輪郭端５４ｂは、レバー３５に設けられた第１の受け面３３ａに当接するように適合されており、開放ボタン５０ａが休止引込み位置（図７参照）から中間引起し位置（図８参照）に操作されると、レバー３５の短い第１のストロークをもたらす。短尺レバーアーム５２ｂは、短い第１のストロークで第１の受け面３３ａに第１の力を与えて、移動手段をその安定した閉鎖位置から不安定なバランスの中間位置に移動させるように適合されている。図７のとおり、開放ボタン５０ａの休止引込み位置では、リンク４０の第２の端部４２がその周りを枢動する軸４４は、リンク４０の第１の端部４１がその周りを枢動する軸４３および枢動軸３４を通る直線６よりも上に位置する。そのため、移動手段３０は、ばね４７および復帰手段５の作用により、当然のことながらその安定した閉鎖位置に保たれる。図８のとおり、開放ボタン５０ａの中間引起し位置では、長尺レバーアーム５２ｃの第２の誘導用輪郭端５４ｃが第２の受け面３３ｂの誘導を開始し、一方、短尺レバーアーム５２ｂの第１の誘導用輪郭端５４ｂは、軸４４が軸４３および枢動軸３４を通る直線６よりも上に位置するため、第１の受け面３３ａから離れ始める。そのため、移動手段はその不安定なバランスの中間位置にあって、その安定した開放位置に移行する態勢にある。
【００５８】
図８および図９から見て取れるように、長尺レバーアーム５２ｃの第２の誘導用輪郭端５４ｃは、レバー３５に設けられた第２の受け面３３ｂに当接するように適合されており、開放ボタン５０ａが中間引起し位置（図８参照）から引起し位置（図９参照）に操作されると、レバー３５の長い第２のストロークをもたらす。長尺レバーアーム５２ｃは、長い第２のストロークで第２の受け面３３ｂに第２の力を与えて、移動手段をその不安定なバランスの中間位置から安定した開放位置に移動させるように適合されている。図９のとおり、開放ボタン５０ａの引起し位置では、軸４４は軸４３および枢動軸３４を通る直線６よりも上に位置する。そのため、レバー３５は第２の力の作用を受けてその開放位置に誘導される。閉鎖位置から開放位置へのレバー３５の移動はリンク４０を介してラッチ２０をその開位置に誘導する。それにより、脱着可能なハンドル１は調理容器６０に対する錠止を解除される。
【００５９】
長尺レバーアーム５２ｃの長い第２のストロークの最後では、ばね４７および復帰手段５の作用により、レバー３５は、第２の押動具５０ｃがレバーに対して力を及ぼさなくなるその開放位置から、図４に示すようなその完全な開位置に持って行かれる。
【００６０】
操作としては、調理容器６０から脱着可能なハンドル１を取り外すときには、ユーザは把持部２をつかみ、親指でトルクをかけて開放ボタン５０ａを引き起こして、短尺レバー５２ｂと長尺レバー５２ｃをそれぞれ備える第１の押動具５０ｂおよび第２の押動具５０ｃを枢動させる。それにより、短いレバーアーム５２ｂの第１の誘導用輪郭端５４ｂは、短い第１のストロークで第１の受け面３３ａに第１の力を加えて、レバー３５をその閉鎖位置から不安定なバランスの中間位置に移行させる。長いレバーアーム５２ｃの第２の誘導用輪郭端５４ｃは、長い第２のストロークで第２の受け面３３ｂに第２の力を加えて、レバー３５をその不安定なバランスの中間位置からその開放位置に移行させる。閉鎖位置から開放位置へのレバー３５の移行はリンク４０を介して閉位置から開位置へのラッチ２０の移動をもたらす。
【００６１】
脱着可能なハンドル１を調理容器６０に組み立てるときは、ユーザは把持部２をつかんで、上述したのと同じやり方でラッチ２０をその開位置に持って行く。すると、衝止壁２１は内部支持具１２から離隔する。ユーザは、湾曲した縁部６４および側壁６１を内部支持具１２と支持具１４の間に挿入して、垂直な中間部位６５が内部支持部位１２ａおよび内部支持部位１２ｂに当たるように、側壁６１の外側面６３が外部支持部位１４ａおよび外部支持部位１４ｂに当たるようにする。次いで、ユーザは、レバー３５を押すことによってレバー３５をその開放位置から閉鎖位置に移行させ、それによってラッチ２０をその開位置から、衝止壁２１を形成する第１の支持部２１ａおよび第２の支持部２１ｂが端縁６６の垂下する自由端６７に支持されて、湾曲した縁部６４を内部支持具１２および外部支持具１４で衝止するその閉位置に誘導する。これにより、脱着可能なハンドル１は調理容器６０に固定される。
【００６２】
本発明が、もっぱら例としてのみ掲げて説明し、図示した実施形態だけにいささかも限定されるものでないことは言うまでもない。様々な要素の構成という観点からの変更や、等価の技術による置換えによる変更などは、それによって本発明の保護対象領域から外れることなくなお可能である。
【００６３】
１つの変形実施形態では、開放手段に設けられた第１の押動具と第２の押動具はそれぞれ短いカムと長いカムを備え、カムによって運動を与えられる従動体を形成する移動手段に対して短いカムは第１の力を加えるように適合され、長いカムは第２の力を加えるように適合される。
【００６４】
逆に、開放手段は、移動手段に設けられた第１の押動具および第２の押動具に対して力を加えるように適合された単一のレバーを備えるものであることができる。第１の押動具および第２の押動具はそれぞれ短いカムの輪郭および長いカムの輪郭を有することができる。
【００６５】
別の変形実施形態では、側壁に突き当たるようにされた固定支持具は固定顎部からなり、錠止具は可動クランプからなる。
【符号の説明】
【００６６】
１      脱着可能なハンドル
２      把持部
３      長手方向
４      横断方向
５      復帰手段
６      直線
１０    構造材
１１ａ  側方脚
１１ｂ  側方脚
１２    内部支持具
１２ａ  第１の内部支持部位
１２ｂ  第２の内部支持部位
１４    外部支持具
１４ａ  第１の外部支持部位
１４ｂ  第２の外部支持部位
２０    ラッチ
２１    衝止壁
２１ａ  第１の支持部
２１ｂ  第２の支持部
２２    ストッパ
３０    移動手段
３１    細長い開口部
３２    横断方向壁
３３ａ  第１の受け面
３３ｂ  第２の受け面
３４    枢動軸
３５    レバー
４０    リンク
４１    第１の端部
４２    第２の端部
４３    軸
４４    軸
４７    圧縮ばね
５０    開放手段
５０ａ  開放ボタン
５０ｂ  第１の押動具
５０ｃ  第２の押動具
５１    横断方向軸
５２ｂ  短尺レバーアーム
５２ｃ  長尺レバーアーム
５４ｂ  第１の誘導用輪郭端
５４ｃ  第２の誘導用輪郭端
６０    調理容器
６１    側壁
６２    内側面
６３    外側面
６４    湾曲した縁部
６５    垂直な中間部
６６    端縁
６７    垂下した自由端
７０    平な底壁
８０    開口部
【図１】
2018134391.tif 000003
【図２】
2018134391.tif 000004
【図３】
2018134391.tif 000005
【図４】
2018134391.tif 000006
【図５】
2018134391.tif 000007
【図６】
2018134391.tif 000008
【図７】
2018134391.tif 000009
【図８】
2018134391.tif 000010
【図９】
2018134391.tif 000011
【外国語明細書】
2018134391000001.pdf